【事件の表示】
　特願２０１７−２４３４３３「ＢＩＯＳ設定の自動切替え方法、ＢＩＯＳ設定自動切替え装置、およびＢＩＯＳ設定自動切替えプログラム」拒絶査定不服審判事件〔令和　１年　７月　４日出願公開、特開２０１９−１０９８０１〕について、次のとおり審決する。
【結　論】
　本件審判の請求は、成り立たない。
【理　由】
第１．手続の経緯
　本願は，平成２９年１２月２０日の出願であって，平成３０年１２月２０日付けで拒絶理由通知がされ，平成３１年１月２２日付けで意見書が提出されるとともに手続補正がなされたが，令和１年６月２７日付けで拒絶査定がなされた。これに対し，令和１年８月２２日に拒絶査定不服審判の請求がなされると同時に手続補正がなされたものである。
第２．令和１年８月２２日にされた手続補正についての補正の却下の決定 
［補正の却下の決定の結論］ 
　令和１年８月２２日にされた手続補正（以下「本件補正」という。）を却下する。 
［理由］ 
１．本件補正について（補正の内容） 
（１）本件補正後の特許請求の範囲の記載
　本件補正により，特許請求の範囲の請求項１の記載は，次のとおり補正された。（下線部は，補正箇所である。）
「【請求項１】
　情報処理装置にて、ＢＩＯＳ（BasicInput/Output System）の設定を自動的に切り替える方法であって、
　外部から、第１乃至第Ｎ（Ｎは２以上の整数）のキーデータと第１乃至第Ｎのタイミングデータとの組から成る、入力用データを取得し、
　
一度の
　前記第ｎのキーデータの設定を実行する、
ＢＩＯＳ設定の自動切替え方法。」
（２）本件補正前の特許請求の範囲
　本件補正前の，平成３１年１月２２日にされた手続補正により補正された特許請求の範囲の請求項１の記載は次のとおりである。
「【請求項１】
　情報処理装置にて、ＢＩＯＳ（BasicInput/Output System）の設定を自動的に切り替える方法であって、
　外部から、第１乃至第Ｎ（Ｎは２以上の整数）のキーデータと第１乃至第Ｎのタイミングデータとの組から成る、入力用データを取得し、
　タイマー開始後に定期的なタイマー割込みが発生した時点で確認される、第ｎ（１≦ｎ≦Ｎ）のタイミングデータによって予め定めたタイミングで、該第ｎのタイミングデータに対応する第ｎのキーデータを出力し、
　前記第ｎのキーデータの設定を実行する、
ＢＩＯＳ設定の自動切替え方法。」
２．補正の適否 
　本件補正は，補正前の請求項１に記載された発明を特定するために必要な事項である「タイマー開始」を「一度の」として限定するものである。また，本件補正前の請求項１に記載された発明と本件補正後の請求項１に記載される発明の産業上の利用分野及び解決しようとする課題は同一である。したがって，請求項１についての本件補正は特許法第１７条の２第５項第２号に掲げる特許請求の範囲の減縮を目的とするものに該当する。
　そこで，本件補正後の請求項１に記載された発明（以下，「本件補正発明」という。）が特許法第１７条の２第６項において準用する同法第１２６条第７項の規定に適合するか否か（特許出願の際独立して特許を受けることができるものか否か）を検討する。
（１）本件補正発明 
本件補正発明は，上記１（１）に記載したとおりのものである。
（２）引用文献，引用発明 
ア．引用文献１
（ア）原査定の拒絶の理由において引用された，特開２００６−１９００６１号公報（以下，「引用文献１」という。）には，図面とともに以下の事項が記載されている。（下線は，当審において付加した。以下，同じ。）
ａ．「【０００６】
　そこで、設定内容をパターン化して、これらのパターンを予め複数用意しておくことが従来より提案されている（たとえば特許文献１参照）。この第１の提案では、パーソナルコンピュータの記憶媒体に、異なるバイオス設定の内容のパターンが予め複数格納されており、その中から入力装置の操作によって、コンピュータシステムの環境に適合したパターンを選択することができるようになっている。これにより、たとえばキーボードの１つのキーを押下するだけで簡単にバイオスの設定を行うことができ、設定ミスの可能性を低減させることができる。」
ｂ．「【００３０】
　図１は、本発明の一実施例による情報処理装置としてのパーソナルコンピュータの構成を表わしたものである。この
パーソナルコンピュータ２０１には、装置を構成する各種デバイスの入出力状態の設定を行う基本的な制御内容を規定したバイオス（Basic Input Output System）を格納したバイオス部２０２が備えられている
【００３１】
　バイオス部２０２には
バイオス設定装置２０７と
バイオス設定格納部２０８が備えられている
バイオス設定装置２０７には
キーボードバッファメモリ２０９が
ポスト処理部２１０と
記録メディア判別処理部２１１が備えられている
キー情報制御処理部２１２と
タイマ２１３が備えられている
ｃ．「【００３８】
　逆に言えば、バイオス設定メニューを立ち上げるためのキーとバイオス設定メニューの内容およびキー操作の対応付けが同じであり、正しい設定を行ったときの同じキー操作を適切なタイミングで再現すれば、同じように正しい設定内容をバイオス設定格納部２０８に格納することができる。そこで、本実施例では、キー情報制御処理部２１２を設け、適切な設定を実現する場合にキーボード２０４から出力されるべきキー情報を、ドライブ装置２０５に挿着されたリムーバブルメディアに格納しておくようにする。そして、同じ内容でのバイオス設定を繰り返すときには、このリムーバブルメディアあるいはその内容をコピーした他のリムーバブルメディアからキー情報を読み出して、あたかもキーボード２０４からリアルタイムでキー情報が送られてきているかのようにポスト処理部２１０へ送るようにする。以下、正しい設定を行ったときのキー情報をリムーバブルメディアに格納するための処理、およびこのようにして格納されたキー情報をリムーバブルメディアから読み出してバイオス設定を行う処理について説明する。
【００３９】
　まず、記録メディア判別処理部２１１は、ポスト処理部２１０によるポスト処理が開始されると、リムーバブルメディアに格納されたキー情報を読み出してポスト処理部２１０へ送るべきか否かを判別する。この判別は、後に説明するキー情報を含むキー入力情報がドライブ装置２０５に装着されたリムーバブルメディアに格納されているか否かを判別するキー入力情報有無判別処理によって行われる。
キー入力情報が格納されたリムーバブルメディアを
簡易設定用ディスクという
ｄ．「【００４２】
　すなわち、記録メディア判別処理部２１１はキー情報制御処理部２１２に対して、簡易設定用ディスクが装着されていればそこからキー入力情報を読み出して簡易設定用の処理を実行することを指示する。そして、それ以外のリムーバブルメディアが装着されていればこれにキー入力情報を新たに書き込むことも可能な通常設定用の処理を実行することを指示し、ドライブ装置２０５に何も装着されていなければ特に処理の実行を指示しないようになっている。
キー情報は、キーボード２０４の操作に応じてキーボードバッファメモリ２０９へと入力されるものであり、どこに配置されたキーが押下されたかを示すスキャンコード（Scan Code）と、どの文字に対応するかを示すアスキーコード（Ascii Code）により構成されている
　　　　　　　　　　・・・　中略　・・・
【００４６】
　ポスト処理がまだ終了していない場合（ステップＳ３２３：Ｎ）、キー情報がキーボードバッファメモリ２０９へ送られてくるか否か、すなわちキー入力を逐次監視し（ステップＳ３２４）、
キー入力があると（Ｙ）、そのキー情報が前記した終了用ホットキーに対応するキー情報と一致するか否かを判別する（ステップＳ３２５）。終了用ホットキー以外のキーに対応するキー情報がキーボードバッファメモリ２０９から送られてきた場合には（Ｎ）、キー情報の記録を継続するので、実行中のポストタスクのポストコードをポスト処理部２１０から取得するとともに、そのポストタスクが開始されてからの時間（以下、タスク内経過時間という。）
ｅ.「【００４７】
　
タイマ２１３は、ポスト処理部２１０が新たなポストタスクを開始する度に、その開始タイミングで値を初期化して計時を開始し、その時間情報を逐次出力するようになっている
【００４８】
　そして、ステップＳ３２４で取得したキー情報と、ステップＳ３２６で取得したポストコードとタスク内経過時間により構成されるポストタスク情報とをドライブ装置２０５に送り、挿着されているリムーバブルメディアに記録させる（ステップＳ３２７）。記録が正常に行われた場合には（ステップＳ３２８：Ｙ）、ステップＳ３２３へ戻ってポスト処理が継続している場合には次のキー入力を待機する。
　　　　　　　　　　　　・・・　中略　・・・
【００５１】
　図６は、図５の処理による簡易設定用ディスクの内容を表わしたものである。
簡易設定用ディスク３５１には、書き込まれた順序が分かる状態で、第１〜第ｎのキー入力情報３５２1〜３５１nが格納され
第１のキー入力情報３５２1は、キー情報３５３とポストタスク情報３５４によって構成され
キー情報３５３は、
スキャンコード３５５とアスキーコード３５６により構成され
また、ポストタスク情報３５４は、ポストコード３５７と、タスク内経過時間３５８により構成され
第２〜第ｎのキー入力情報３５２2〜３５１nも同様の構成となって
ｆ．「【００５３】
　図７は、キー情報制御処理部による簡易設定用キー情報制御処理の流れを表わしたものであり、図４のステップＳ３１４に対応している。
キー情報制御処理部２１２は、まずドライブ装置２０５に挿着された簡易設定用ディスクからキー入力情報３５２を１つ読み出す
ステップＳ３６１
ポスト処理部２１０が実行中のポストタスクのポストコードを取得
ステップＳ３６２
読み出したキー入力情報３５２のポストコード３５７と一致するか否かを判別する
ステップＳ３６３
【００５４】
　
一致する場合には（Ｙ）、タイマ２１３が出力するそのポストタスクのタスク内経過時間がステップＳ３６１で読み出したキー入力情報３５２のタスク内経過時間に達するのを監視する
ステップＳ３６４
読み出したキー入力情報３５２のタスク内経過時間３５８に達すると（Ｙ）、ステップＳ３６１で読み出したキー入力情報３５２のキー情報３５３をキーボードバッファメモリ２０９に格納する
ステップＳ３６５
簡易設定用ディスクに次に読み出すべきキー入力情報３５２が存在する場合には
ステップＳ３６６：Ｙ
ステップＳ３６１へ戻って該当するキー入力情報３５２を読み出す
【００５５】
　また、ステップＳ３６３でポストコード３５７が一致せず（Ｎ）、まだポスト処理が終了していない場合には（ステップＳ３６７：Ｎ）、その次以降のポストタスクで入力されるべきキー情報である可能性があるため、ステップＳ３６２へ戻って実行中のポストタスクのポストコードとの比較を続ける。ステップＳ３６３でポストコードが一致しないまま（Ｎ）、ポスト処理が終了した場合には（ステップＳ３６７：Ｙ）、キー情報の入力が失敗した旨を原因と共に液晶ディスプレイ２０３に表示してユーザに通知し（ステップＳ３６８）、処理を終了する（エンド）。
【００５６】
　このようにして、図５に示した通常設定用キー情報制御処理によって、ポスト処理中の一連のキーボード操作をキー入力情報としてリムーバブルメディアに記録することができる。そして、このようにして作成された自装置あるいは他の装置で作成された
リムーバブルメディアに記録された個々のキー入力情報を、図７に示した簡易設定用キー情報制御処理によって適切なタイミングでポスト処理部へと渡し、あたかもリアルタイムでキーボードが操作されているかのようにバイオスの設定を行うことができる。
ｇ．「
　　　　　　　　　　　　　　　　　　　　　　　　　　　　　　」
ｈ．「
　　　　　　　　　　　　　　　　　　　　　　　　　　　　　　　」
ｉ．「
　　　　　　　　　　　　　　　　　　　　　　　　　　　　　　　　」
（イ）上記ｂ.の段落【００３０】には，「パーソナルコンピュータ２０１には，装置を構成する各種デバイスの入出力状態の設定を行う基本的な制御内容を規定したバイオス（Basic Input Output System）を格納したバイオス部２０２が備えられている」ことが記載され，また，段落【００３１】及び図１（上記ｇ．）には，バイオス部２０２が，キーボードバッファメモリ２０９とポスト処理部２１０と記録メディア判別処理部２１１とキー情報制御処理部２１２とタイマ２１３とからなるバイオス設定装置２０７と，バイオス設定格納部２０８を備えることが記載されている。
　してみると，引用文献１には，“キーボードバッファメモリ２０９とポスト処理部２１０と記録メディア判別処理部２１１とキー情報制御処理部２１２とタイマ２１３とからなるバイオス設定装置２０７と，バイオス設定格納部２０８を備え，装置を構成する各種デバイスの入出力状態の設定を行う基本的な制御内容を規定したバイオス（Basic Input Output System）を格納したバイオス部２０２を備えるパーソナルコンピュータ２０１”が記載されているといえる。
　また，上記ｆ．の段落【００５６】には，「リムーバブルメディアに記録された個々のキー入力情報を，図７に示した簡易設定用キー情報制御処理によって適切なタイミングでポスト処理部へと渡し，あたかもリアルタイムでキーボードが操作されているかのようにバイオスの設定を行うことができる」と記載され，図７，及び図７の説明である上記ｆ．の段落【００５３】〜【００５６】には，リムーバブルメディアに記録された個々のキー入力情報を，適切なタイミングでポスト処理部２１０へと渡し，あたかもリアルタイムでキーボードが操作されているかのようにバイオスの設定を行うバイオスの設定方法が記載されているといえる。
　してみると，引用文献１には，“キーボードバッファメモリ２０９とポスト処理部２１０と記録メディア判別処理部２１１とキー情報制御処理部２１２とタイマ２１３とからなるバイオス設定装置２０７と，バイオス設定格納部２０８を備え，装置を構成する各種デバイスの入出力状態の設定を行う基本的な制御内容を規定したバイオス（Basic Input Output System）を格納したバイオス部２０２を備えるパーソナルコンピュータ２０１において，リムーバブルメディアに記録された個々のキー入力情報を，適切なタイミングでポスト処理部２１０へと渡し，あたかもリアルタイムでキーボードが操作されているかのようにバイオスの設定を行うバイオスの設定方法”が記載されているといえる。
（ウ）上記ｆ．の段落【００５３】，【００５４】，及び図７（上記ｈ．）には前記バイオスの設定方法が，「キー情報制御処理部２１２は，まずドライブ装置２０５に挿着された簡易設定用ディスクからキー入力情報３５２を１つ読み出す」「ステップＳ３６１」と，「ポスト処理部２１０が実行中のポストタスクのポストコードを取得」する「ステップＳ３６２」と，「読み出したキー入力情報３５２のポストコード３５７と一致するか否かを判別する」「ステップＳ３６３」と，「一致する場合には（Ｙ），タイマ２１３が出力するそのポストタスクのタスク内経過時間がステップＳ３６１で読み出したキー入力情報３５２のタスク内経過時間に達するのを監視する」「ステップＳ３６４」と，「読み出したキー入力情報３５２のタスク内経過時間３５８に達すると（Ｙ），ステップＳ３６１で読み出したキー入力情報３５２のキー情報３５３をキーボードバッファメモリ２０９に格納する」「ステップＳ３６５」と，「簡易設定用ディスクに次に読み出すべきキー入力情報３５２が存在する場合には」「ステップＳ３６１へ戻って該当するキー入力情報３５２を読み出す」「ステップＳ３６６：Ｙ」とからなることが記載されている。
（エ）上記ｅ.の段落【００４７】には，「タイマ２１３は，ポスト処理部２１０が新たなポストタスクを開始する度に，その開始タイミングで値を初期化して計時を開始し，その時間情報を逐次出力するようになっている」ことが記載されている。
（オ）上記ｃ.の段落【００３９】には，「キー入力情報が格納されたリムーバブルメディアを」「簡易設定用ディスクという」ことが記載され，そして，上記ｅ．の段落【００５１】には、「簡易設定用ディスク３５１には，書き込まれた順序が分かる状態で，第１〜第ｎのキー入力情報３５２1〜３５１nが格納され」「第１のキー入力情報３５２1は，キー情報３５３とポストタスク情報３５４によって構成され」「キー情報３５３は」「スキャンコード３５５とアスキーコード３５６により構成され」「また，ポストタスク情報３５４は，ポストコード３５７と，タスク内経過時間３５８により構成され」「第２〜第ｎのキー入力情報３５２2〜３５１nも同様の構成となって」いることが記載されている。
　また，上記ｄ．の段落【００４２】には，「キー情報は，キーボード２０４の操作に応じてキーボードバッファメモリ２０９へと入力されるものであり，どこに配置されたキーが押下されたかを示すスキャンコード（Scan Code）と，どの文字に対応するかを示すアスキーコード（Ascii Code）により構成されている」ことが記載されている
　さらに，段落【００４６】には「キー入力があると（Ｙ），そのキー情報が前記した終了用ホットキーに対応するキー情報と一致するか否かを判別する（ステップＳ３２５）。終了用ホットキー以外のキーに対応するキー情報がキーボードバッファメモリ２０９から送られてきた場合には（Ｎ），キー情報の記録を継続するので，実行中のポストタスクのポストコードをポスト処理部２１０から取得するとともに，そのポストタスクが開始されてからの時間（以下、タスク内経過時間という。）」ことが記載されており，キー入力が有り，終了用ホットキー以外のキーに対応するキー情報がキーボードバッファメモリ２０９から送られてきた場合に，ポスト処理部２１０から取得される実行中のポストタスクのポストコード，そのポストタスクが開始されてからの時間をタスク内経過時間ということが記載されているといえる。
　してみると，引用文献１には，“リムーバブルメディアである簡易設定用ディスクには，書き込まれた順序が分かる状態で，第１〜第ｎのキー入力情報３５２1〜３５１nが格納され，第１のキー入力情報３５２1は，キー情報３５３とポストタスク情報３５４によって構成され，キー情報３５３は，どこに配置されたキーが押下されたかを示すスキャンコード３５５と，どの文字に対応するかを示すアスキーコード３５６により構成され，また，ポストタスク情報３５４は，キー入力が有り、終了用ホットキー以外のキーに対応するキー情報がキーボードバッファメモリ２０９から送られてきた場合に、ポスト処理部２１０から取得される実行中のポストタスクのポストコードと、そのポストタスクが開始されてからの時間であるタスク内経過時間により構成され，第２〜第ｎのキー入力情報３５２2〜３５１nも同様の構成となっている”ことが記載されているといえる。
（カ）したがって，上記引用文献１の上記各記載及び図面を総合すると，引用文献１には，次の発明（以下，「引用発明」という。）が開示されていると認められる。
「キーボードバッファメモリ２０９とポスト処理部２１０と記録メディア判別処理部２１１とキー情報制御処理部２１２とタイマ２１３とからなるバイオス設定装置２０７と，バイオス設定格納部２０８を備え，装置を構成する各種デバイスの入出力状態の設定を行う基本的な制御内容を規定したバイオス（Basic Input Output System）を格納したバイオス部２０２を備えるパーソナルコンピュータ２０１において，リムーバブルメディアに記録された個々のキー入力情報を，適切なタイミングでポスト処理部２１０へと渡し，あたかもリアルタイムでキーボードが操作されているかのようにバイオスの設定を行うバイオスの設定方法であって，
　タイマ２１３は，ポスト処理部２１０が新たなポストタスクを開始する度に，その開始タイミングで値を初期化して計時を開始し，その時間情報を逐次出力するようになっており，
　リムーバブルメディアである簡易設定用ディスクには，書き込まれた順序が分かる状態で，第１〜第ｎのキー入力情報３５２1〜３５１nが格納され，第１のキー入力情報３５２1は，キー情報３５３とポストタスク情報３５４によって構成され，キー情報３５３は，どこに配置されたキーが押下されたかを示すスキャンコード３５５と，どの文字に対応するかを示すアスキーコード３５６により構成され，また，ポストタスク情報３５４は，キー入力が有り、終了用ホットキー以外のキーに対応するキー情報がキーボードバッファメモリ２０９から送られてきた場合に、ポスト処理部２１０から取得される実行中のポストタスクのポストコードと、そのポストタスクが開始されてからの時間であるタスク内経過時間３５８により構成され，第２〜第ｎのキー入力情報３５２2〜３５１nも同様の構成となっており，
　キー情報制御処理部２１２は，まずドライブ装置２０５に挿着された簡易設定用ディスクからキー入力情報３５２を１つ読み出すステップＳ３６１と，
　ポスト処理部２１０が実行中のポストタスクのポストコードを取得するステップＳ３６２と，
　読み出したキー入力情報３５２のポストコード３５７と一致するか否かを判別するステップＳ３６３と
　一致する場合には（Ｙ），タイマ２１３が出力するそのポストタスクのタスク内経過時間がステップＳ３６１で読み出したキー入力情報３５２のタスク内経過時間に達するのを監視するステップＳ３６４と，
　読み出したキー入力情報３５２のタスク内経過時間３５８に達すると（Ｙ），ステップＳ３６１で読み出したキー入力情報３５２のキー情報３５３をキーボードバッファメモリ２０９に格納するステップＳ３６５と，
　簡易設定用ディスクに次に読み出すべきキー入力情報３５２が存在する場合には，ステップＳ３６１へ戻って該当するキー入力情報３５２を読み出すステップＳ３６６：Ｙと，
からなるバイオスの設定方法。」
イ．引用文献２
　拒絶査定において引用された，特開２０１７−１２０４６７号公報（以下，「引用文献２」という。）には，図面とともに以下の事項が記載されている。
ａ．「【００４３】
図５は、
所定間隔のタイマ割り込みにより実行される関数の
割り込み信号に応じて関数Ａが実行される
ウ．引用文献３
　拒絶査定において引用された，特開２００５−２８４７３７号公報（以下，「引用文献３」という。）には，図面とともに以下の事項が記載されている。
ａ.「【００４６】
サーバ１０の処理手順を図２のフローチャートに基づいて説明する。
このプログラムは微小時間毎のタイマ割り込みにより実行される
（３）引用発明との対比 
　本件補正発明と引用発明とを対比する。 
ア．引用発明の「パーソナルコンピュータ２０１」，「バイオス（Basic Input Output System）」は，各々，本件補正発明の「情報処理装置」，「ＢＩＯＳ（Basic Input/Output System）」に相当する。
　また，引用発明の「バイオスの設定方法」は，引用文献１の段落【０００６】に従来例として記載される、複数のバイオスの設定内容をパターンを用意することで、１つのパターンを選択することでバイオスの設定を、（自動的）に切り替わるものをさらに改良したものであるから，引用発明もパーソナルコンピュータ２０１にてバイオスを自動的に切り替える方法といえる。
　したがって、引用発明と，本件補正発明とは“情報処理装置にて，ＢＩＯＳ（Basic Input/Output System）の設定を自動的に切り替える方法”である点で共通する。
イ．引用発明の「キー情報３５３」は，どこに配置されたキーが押下されたかを示すスキャンコード３５５と，どの文字に対応するかを示すアスキーコード３５６により構成され，キー入力に関するデータといえるから，本件補正発明の「キーデータ」に相当する。
　また，引用発明の「ポストタスク情報３５４」の「タスク内経過時間３５８」は，キー入力があった際のポストタスクが開始されてからの時間であり，キー情報の時間に関するデータといえる。してみると，引用発明の「ポストタスク情報３５４」の「タスク内経過時間３５８」と，本件補正発明の「タイミングデータ」とは，後記する点で相違するものの「時間に関するデータ」である点では共通する。
　そして，引用発明の「第１〜第ｎのキー入力情報３５２1〜３５１n」の個々の「キー入力情報３５２」は，「キー情報３５３」と「タスク内経過時間３５８」を含む「ポストタスク情報３５４」から成るものであるから，引用発明と本件補正発明とは，“第１乃至第Ｎ（Ｎは２以上の整数）のキーデータと第１乃至第Ｎの時間に関するデータとの組から成る，入力用データ”である点で共通する。
　さらに，引用発明の「ステップＳ３６１」及び「ステップＳ３６６」は，簡易設定用ディスクからキー入力情報３５２を１つ読み出すステップ、及び，それを繰り返すステップであって、また、簡易用設定用ディスクはパーソナルコンピュータ２０１の外部から提供されるものであるから，本件補正発明の「外部から、第１乃至第Ｎ（Ｎは２以上の整数）のキーデータと第１乃至第Ｎの時間に関するデータとの組から成る、入力用データを取得」することに相当する。
ウ．引用発明の「タイマ２１３」は，「ポスト処理部２１０が新たなポストタスクを開始する度に，その開始タイミングで値を初期化して計時を開始」するものであり，１つのポストタスクに対しては一度のタイマーの開始がされているものである。
　そして，引用発明では，「ステップＳ３６１」で，簡易設定用ディスクに格納された第１〜第ｎのキー入力情報３５２1〜３５１nのいずれか１つを読み出し，さらに，「ステップＳ３６４」で，タイマ２１３が出力するそのポストタスクのタスク内経過時間がステップＳ３６１で読み出したキー入力情報３５２のタスク内経過時間に達するのを監視し，「ステップＳ３６５」で，読み出したキー入力情報３５２のポストタスク情報３５４のタスク内経過時間３５８に達すると（Ｙ），ステップＳ３６１で読み出したキー入力情報３５２のキー情報３５３をキーボードバッファメモリ２０９に格納するものであり，一度のタイマー開始後に、タイマーの出力を常時確認し，読み出された１つのキー入力情報３５２のタスク内経過時間３５８で，タスク内経過時間３５８に対応するキー情報３５３をキーバッファメモリ２０９に出力しているといえる。
　してみると，引用発明の「ステップＳ３６１」，「ステップＳ３６４」及び「ステップＳ３６５」と，本件補正発明の「一度のタイマー開始後に定期的なタイマー割込みが発生した時点で確認される，第ｎ（１≦ｎ≦Ｎ）の時間に関するデータによって予め定めたタイミングで，該第ｎのタイミングデータに対応する第ｎのキーデータを出力」することとは，後記する点で相違するものの“一度のタイマー開始後に確認される，第ｎ（１≦ｎ≦Ｎ）時間に関するデータによって予め定めた時間で，該第ｎのタイミングデータに対応する第ｎのキーデータを出力”する点で共通する。
エ．引用発明の「バイオスの設定方法」は，リムーバブルメディアに記録された個々のキー入力情報を，適切なタイミングでポスト処理部へと渡し，あたかもリアルタイムでキーボードが操作されているかのようにバイオスの設定を行うものであり，ステップＳ３６５でキーボードバッファメモリ２０９に格納されたキー情報３５３は、ポスト処理部へと渡されバイオスの設定が実行されていることは明らかであるから、引用発明においても、本件補正発明の「前記第ｎのキーデータの設定を実行する」ことに相当する構成を有するものと認められる。
　したがって，本件補正発明と引用発明とを対比すると，両者は，以下の点で一致し，また，相違している。
（一致点） 
「情報処理装置にて，ＢＩＯＳ（BasicInput/Output System）の設定を自動的に切り替える方法であって，
　外部から，第１乃至第Ｎ（Ｎは２以上の整数）のキーデータと第１乃至第Ｎの時間に関するデータとの組から成る，入力用データを取得し，
　一度のタイマー開始後に確認される，第ｎ（１≦ｎ≦Ｎ）の時間に関するデータによって予め定めたタイミングで，該第ｎの時間に関するデータに対応する第ｎのキーデータを出力し，
　前記第ｎのキーデータの設定を実行する，
ＢＩＯＳ設定の自動切替え方法。」 
（相違点１）
　前記「時間に関するデータ」が，本件補正発明では，「タイミングデータ」であるのに対して，引用発明では，「ポストタスク情報３５４」の「タスク内経過時間３５８」がタイミングであるか不明である点。
（相違点２） 
　前記「確認」が，本件補正発明では，「定期的なタイマー割込みが発生した時点」で確認されるのに対して，引用発明では，「読み出したキー入力情報３５２のタスク内経過時間３５８に達」した時点であり，定期的なタイマー割込みが発生した時点であることが特定されていない点。
（４）判断 
　上記各相違点について検討する。 
（相違点１）について
　引用発明は，「リムーバブルメディアに記録された個々のキー入力情報を，
適切なタイミングで
　そして，そのために，引用発明は、タイマ２１３が出力するポストタスクのタスク内経過時間が，「キー入力情報３５２のタスク内経過時間３５８」に達すると，キー入力情報３５２のキー情報３５３をキーボードバッファメモリ２０９に格納するものであるから引用発明の「タスク内経過時間３５８」は出力するタイミングを表しているといえ，この点においては相違しない。
　この点に関して，審判請求人は審判請求書において，
「（ニ）本願発明と各引用例の対比説明：
　まず、本願発明と引用文献１に記載された引用発明とを対比して説明します。
　本願発明では、前述したように、タイマーは一度だけ開始後（図４のステップ４０４参照）、定期的なタイマー割込みが発生した時点で、タイミング時間が経過したか否かをチェックしています（図４のステップ４０５および段落［００５４］参照）。
　これに対して、引用文献１は、『タイマ２１３は、ポスト処理部２１０が新たなポストタスクを開始する度に、その開始タイミングで値を初期化して計時を開始し』ています（引用文献１の段落［００４７］参照）。したがって、引用文献１では、その図７から明らかなように、ポストコードが一致した時に、タイマ２１３が初期化されて計時を開始して、タスク内経過時間に達するのを監視することになります（引用文献１の段落［００５３］、［００５４］参照）。
　すなわち、本願発明では、引用文献１において必須の、ポストコードが一致するかを判別する処理（引用文献１の図７のステップＳ３６３および段落［００５３］参照）や、実行中のポストタスクのタスク内経過時間がキー入力情報のタスク内経過時間に達するのを監視する処理（引用文献１の図７のステップＳ３６４および段落［００５４］参照）を行っていません。
　換言すれば、本願発明の「タイミングデータ」と、引用文献１の「ポストタスク情報（タスク内経過時間）」とは、全く異なるデータであることは明らかです。すなわち、本願発明の「タイミングデータ」はタイマーが一度開始した後の時間（いわゆる「絶対経過時間」）を表しているのに対して、引用文献１の「タスク内経過時間」は新たなポストタスクを開始した時点からの経過時間（いわゆる「相対経過時間」）を表しています。」
　と主張している。
　しかしながら,本件補正発明は，「第１乃至第Ｎのタイミングデータ」のうちのいずれかの「第ｎ（１≦ｎ≦Ｎ）のタイミングデータ」の確認が，ある時点から開始される「一度のタイマー開始後に」なされるものであって，必ずしも全ての「第１乃至第Ｎのタイミングデータ」が同じ時点から開始される「一度のタイマー開始後」になされているとは認められないことから,本件発明の「タイミングデータ」がいわゆる「絶対経過時間」を表しているとはいえない。
　また，引用発明には，１つのポストタスクおいてのみＢＩＯＳを設定し，この１つのポストタスクに対して複数のキー情報がある場合も含むものであり，その際には，「キー入力情報」の全ての「タスク内経過時間」は該１つのポストタスクのために開始した一度のタイマー開始後の経過時間を表すものであって，「絶対経過時間」を表すものであるから，引用文献１の「タスク内経過時間」がいわゆる「相対経過時間」を表しているとはいえない。
　したがって，上記主張を採用することはできず，相違点１は格別なものとはいえない。
（相違点２）について
　タイミングに達したか否かの確認を，常時行うか定期的に行うかは設計的事項に過ぎない。
　また、定期的に何らかの処理を行う手段としてタイマー割り込みは周知の技術（上記「（２）イ」，「（２）ウ」）である。
　してみると，引用発明におけるタイミングの確認を定期的に行う際に該周知のタイマー割り込みを用いて本件補正発明の上記相違点２の構成とすることは，当業者が容易に想到し得たことである。　
　そして，本件補正発明の作用効果も，引用発明に基づいて当業者が予測できる範囲のものである。
　したがって，本件補正発明は，引用発明並びに引用文献２及び３に記載されたような周知の技術に基づいて当業者が容易に発明することができたものであるから，特許法第２９条第２項の規定により，特許出願の際独立して特許を受けることができないものである。　
３．結語 
　以上検討したとおり，本件補正は，特許法第１７条の２第６項において準用する同法第１２６条第７項の規定に違反するので，同法第１５９条第１項の規定において読み替えて準用する同法第５３条第１項の規定により却下すべきものである。
　よって，上記補正の却下の決定の結論のとおり決定する。
第３．本願発明について 
１．本願発明 
　令和１年８月２２日付けの手続補正（本件補正）は，上記のとおり却下されたので，本願の請求項１ないし１０に係る発明は，平成３１年１月２２日に補正された特許請求の範囲の請求項１ないし１０に記載された事項により特定されるものであるところ，その請求項１に係る発明（以下「本願発明」という。）は上記第２の［理由］１ （２）に本件補正前の請求項１として記載したとおりのものである。
２．原査定の拒絶の理由
　原査定の拒絶の理由は，この出願の請求項１に係る発明は，引用文献１（特開２００６−１９００６１号公報）に記載された発明に基づいて，当業者が容易に発明をすることができたものであるから，特許法第２９条２項の規定により特許を受けることができない，という理由を含むものである。
３．引用文献，引用発明 
　原査定の拒絶の理由で引用された引用文献１及びその記載事項並びに引用発明は，上記第２の［理由］２「（２）引用文献，引用発明」で説示したとおりである。
４．対比・判断 
　本願発明は，上記第２の［理由］２　で検討した本件補正発明の発明特定事項である「タイマー開始」についての限定を省いたものである。
　そうすると，本願発明の発明特定事項を全て含み，さらに他の事項を付加したものに実質的に相当する本件補正発明が，上記第２の［理由］２「（４）判断」に記載したとおり，引用発明及び周知の技術に基づいて，当業者が容易に発明をすることができたものであるから，本願発明も引用発明及び周知の技術に基づいて，当業者が容易に発明をすることができたものである。
第４．むすび 
　以上のとおり，本願の請求項１に係る発明は，引用文献１に記載された発明及び周知の技術に基づいて当業者が容易に発明することができたものであるから，特許法第２９条第２項の規定により特許を受けることができないから，他の請求項について検討するまでもなく，本願は拒絶されるべきものである。
　よって，結論のとおり審決する。